(57)【特許請求の範囲】
【請求項１】
立体映像を知覚させるための、右眼用の映像データを構成する右眼用の複数の画素データおよび左眼用の映像データを構成する左眼用の複数の画素データを取得する映像取得部と、
前記右眼用の複数の画素データまたは前記左眼用の複数の画素データのいずれか一方の眼用の複数の画素データである第１画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部と、
前記第１画素データのうち、導出された前記距離比率に基づく、前記第１対象データを含む所定パターン形状を成す複数の画素データと、前記右眼用の複数の画素データまたは前記左眼用の複数の画素データの他方の眼用の複数の画素データである第２画素データのうち、前記第１対象データから前記第１対象データに関連付けられた視差分ずれて位置する第２対象データを含む前記所定パターン形状を成す複数の画素データとが示す色が、すべて前記対象色であるか否かを判定する色判定部と、
すべて前記対象色であると判定されると、前記所定パターン形状を成す複数の画素データの色を、前記距離比率に基づく面積比で視覚混合すると前記対象色と視認される候補色群のいずれかの色に、前記面積比で変換する色変換部と、
を備え、
前記距離比率は、前記対象色から前記対象色が属する色相の純色である対象純色までの第１距離と、前記対象色から前記対象純色の補色である対象補色までの第２距離との比率であり、
前記候補色群は、前記対象純色および前記対象補色とで構成されることを特徴とする映像生成装置。
【請求項２】
立体映像を知覚させるための、右眼用の映像データを構成する右眼用の複数の画素データおよび左眼用の映像データを構成する左眼用の複数の画素データを取得する映像取得部と、
前記右眼用の複数の画素データまたは前記左眼用の複数の画素データのいずれか一方の眼用の複数の画素データである第１画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部と、
前記第１画素データのうち、導出された前記距離比率に基づく、前記第１対象データを含む所定パターン形状を成す複数の画素データと、前記右眼用の複数の画素データまたは前記左眼用の複数の画素データの他方の眼用の複数の画素データである第２画素データのうち、前記第１対象データから前記第１対象データに関連付けられた視差分ずれて位置する第２対象データを含む前記所定パターン形状を成す複数の画素データとが示す色が、すべて前記対象色であるか否かを判定する色判定部と、
すべて前記対象色であると判定されると、前記所定パターン形状を成す複数の画素データの色を、前記距離比率に基づく面積比で視覚混合すると前記対象色と視認される候補色群のいずれかの色に、前記面積比で変換する色変換部と、
を備え、
前記距離比率は、前記対象色から前記対象色が属する色相の純色である対象純色までの第１距離と、前記対象色から前記対象純色の補色である対象補色までの第２距離から前記第１距離を引いた第３距離との比率であり、
前記候補色群は、前記対象純色、前記対象補色および前記対象色とで構成されることを特徴とする映像生成装置。
【請求項３】
立体映像を知覚させるための、右眼用の映像データを構成する右眼用の複数の画素データおよび左眼用の映像データを構成する左眼用の複数の画素データを取得する映像取得部と、
前記右眼用の複数の画素データまたは前記左眼用の複数の画素データのいずれか一方の眼用の複数の画素データである第１画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部と、
前記第１画素データのうち、導出された前記距離比率に基づく、前記第１対象データを含む所定パターン形状を成す複数の画素データと、前記右眼用の複数の画素データまたは前記左眼用の複数の画素データの他方の眼用の複数の画素データである第２画素データのうち、前記第１対象データから前記第１対象データに関連付けられた視差分ずれて位置する第２対象データを含む前記所定パターン形状を成す複数の画素データとが示す色が、すべて前記対象色であるか否かを判定する色判定部と、
すべて前記対象色であると判定されると、前記所定パターン形状を成す複数の画素データの色を、前記距離比率に基づく面積比で視覚混合すると前記対象色と視認される候補色群のいずれかの色に、前記面積比で変換する色変換部と、
を備え、
前記比率算出部は、前記距離比率を算出する代わりに、１対１の固定値を前記距離比率として出力し、
前記候補色群は、前記対象色から前記対象色が属する色相の純色である対象純色、前記対象色と前記対象純色との距離の２倍の距離だけ、前記対象色から前記対象純色と反対側に離れた位置の色である２倍色および前記対象色とで構成されることを特徴とする映像生成装置。
【請求項４】
前記色変換部は、前記第１画素データのうち、導出された前記距離比率に基づく、前記第１対象データを含む所定パターン形状を成す複数の画素データすべてと、第２画素データのうち、前記第１対象データから前記第１対象データに関連付けられた視差分ずれて位置する第２対象データを含む前記所定パターン形状を成す複数の画素データすべてのいずれか一方を、所定数のフレーム毎に前記対象純色に変換することを特徴とする請求項１から３のいずれか１項に記載の映像生成装置。
【請求項５】
映像データを構成する複数の画素データを取得する映像取得部と、
前記複数の画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部と、
前記複数の画素データのうち、導出された前記距離比率に基づく、前記第１対象データを含む所定パターン形状を成す複数の画素データが示す色が、前記対象色であるか否かを判定する色判定部と、
すべて前記対象色であると判定されると、前記所定パターン形状を成す複数の画素データの色を、前記距離比率に基づく面積比で視覚混合すると前記対象色と視認される候補色群のいずれかの色に、前記対象色が属する色相の純色である対象純色を割り当てた５割を除く、残り５割に対して割り当てた面積比で変換するフレームと、前記対象純色のみに変換するフレームとで、所定数のフレーム毎に切り換えて、変換する色変換部と、
を備え、
前記距離比率は、前記対象色から前記対象純色までの第１距離と、前記対象色から前記対象純色の補色である対象補色までの第２距離との比率であり、
前記候補色群は、前記対象純色および前記対象補色とで構成されることを特徴とする映像生成装置。
【請求項６】
映像データを構成する複数の画素データを取得する映像取得部と、
前記複数の画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部と、
前記複数の画素データのうち、導出された前記距離比率に基づく、前記第１対象データを含む所定パターン形状を成す複数の画素データが示す色が、前記対象色であるか否かを判定する色判定部と、
すべて前記対象色であると判定されると、前記所定パターン形状を成す複数の画素データの色を、前記距離比率に基づく面積比で視覚混合すると前記対象色と視認される候補色群のいずれかの色に、前記対象色が属する色相の純色である対象純色を割り当てた５割を除く、残り５割に対して割り当てた面積比で変換するフレームと、前記対象純色のみに変換するフレームとで、所定数のフレーム毎に切り換えて、変換する色変換部と、
を備え、
前記距離比率は、前記対象色から前記対象純色までの第１距離と、前記対象色から前記対象純色の補色である対象補色までの第２距離から前記第１距離を引いた第３距離との比率であり、
前記候補色群は、前記対象純色、前記対象補色および前記対象色とで構成されることを特徴とする映像生成装置。
【請求項７】
映像データを構成する複数の画素データを取得する映像取得部と、
前記複数の画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部と、
前記複数の画素データのうち、導出された前記距離比率に基づく、前記第１対象データを含む所定パターン形状を成す複数の画素データが示す色が、前記対象色であるか否かを判定する色判定部と、
すべて前記対象色であると判定されると、前記所定パターン形状を成す複数の画素データの色を、前記距離比率に基づく面積比で視覚混合すると前記対象色と視認される候補色群のいずれかの色に、前記対象色が属する色相の純色である対象純色を割り当てた５割を除く、残り５割に対して割り当てた面積比で変換するフレームと、前記対象純色のみに変換するフレームとで、所定数のフレーム毎に切り換えて、変換する色変換部と、
を備え、
前記比率算出部は、前記距離比率を算出する代わりに、１対１の固定値を前記距離比率として出力し、
前記候補色群は、前記対象色から前記対象純色、前記対象色と前記対象純色との距離の２倍の距離だけ、前記対象色から前記対象純色と反対側に離れた位置の色である２倍色および前記対象色とで構成されることを特徴とする映像生成装置。
【請求項８】
立体映像を知覚させるための、右眼用の映像データを構成する右眼用の複数の画素データおよび左眼用の映像データを構成する左眼用の複数の画素データを取得し、
前記右眼用の複数の画素データまたは前記左眼用の複数の画素データのいずれか一方の眼用の複数の画素データである第１画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく、前記対象色から前記対象色が属する色相の純色である対象純色までの第１距離と、前記対象色から前記対象純色の補色である対象補色までの第２距離との比率である距離比率を算出し、
前記第１画素データのうち、導出した前記距離比率に基づく、前記第１対象データを含む所定パターン形状を成す複数の画素データと、前記右眼用の複数の画素データまたは前記左眼用の複数の画素データの他方の眼用の複数の画素データである第２画素データのうち、前記第１対象データから前記第１対象データに関連付けられた視差分ずれて位置する第２対象データを含む前記所定パターン形状を成す複数の画素データとが示す色が、すべて前記対象色であるか否かを判定し、
すべて前記対象色であると判定すると、前記所定パターン形状を成す複数の画素データの色を、前記距離比率に基づく面積比で視覚混合すると前記対象色と視認される、前記対象純色および前記対象補色とで構成される候補色群のいずれかの色に、前記面積比で変換することを特徴とする映像生成方法。
【請求項９】
映像データを構成する複数の画素データを取得し、
前記複数の画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく、前記対象色から前記対象色が属する色相の純色である対象純色までの第１距離と、前記対象色から前記対象純色の補色である対象補色までの第２距離との比率である距離比率を算出し、
前記複数の画素データのうち、導出した前記距離比率に基づく、前記第１対象データを含む所定パターン形状を成す複数の画素データが示す色が、前記対象色であるか否かを判定し、
すべて前記対象色であると判定すると、前記所定パターン形状を成す複数の画素データの色を、前記距離比率に基づく面積比で視覚混合すると前記対象色と視認される、前記対象純色および前記対象補色とで構成される候補色群のいずれかの色に、前記対象純色を割り当てた５割を除く、残り５割に対して割り当てた面積比で変換するフレームと、前記対象純色のみに変換するフレームとで、所定数のフレーム毎に切り換えて、変換することを特徴とする映像生成方法。
【発明の詳細な説明】
【技術分野】
【０００１】
本発明は、ディスプレイに表示させるための表示データを生成する映像生成装置および映像生成方法に関する。
【背景技術】
【０００２】
近年、左右のカメラのうち右のカメラ（撮像部）で撮像した映像を右眼に、左のカメラ（撮像部）で撮像した映像を左眼に視差を設けて視認させることで、ユーザ（観察者）に対して、あたかもオブジェクトが立体的に存在するように知覚させる技術が、映画やテレビジョン放送等様々な映像技術に採用されている。
【０００３】
このような立体的な映像表示を実現するための技術については、様々な提案がなされており、例えば、水平視差のある右眼用の映像と左眼用の映像を、それぞれ垂直方向に短冊状に分解し、分解した右眼用の映像と、分解した左眼用の映像とを交互に並べた映像を、この映像から所定距離離隔した位置に設けられた、短冊状の開口部と遮光部とを有するパララックス・バリアを介して、左右それぞれの眼でそれぞれの眼に対応した視差映像を視認させることにより立体映像を知覚させる技術が開発されている（例えば、特許文献１）。
【０００４】
さらに、μｐｏｌやＸｐｏｌ（登録商標）といった偏光フィルタ方式（パッシブタイプ）が開発されており、偏光フィルタ方式を採用する場合、ディスプレイの表示面に、偏光特性が異なる２種類の偏光フィルタが隔行で（１表示ライン毎に）交互に配置される。ここで、偏光特性が異なるとは、偏光フィルタに直線偏光を利用する場合、一方の偏光フィルタと他方の偏光フィルタとの偏光が例えば直交しており、円偏光を利用する場合、一方の偏光フィルタは右偏光であり他方の偏光フィルタが左偏光であることをいう。そして、一方の偏光フィルタが配置された表示ラインに右眼用の映像データを、他方の偏光フィルタが配置された表示ラインに左眼用の映像データを表示させると、観察者は、偏光眼鏡を通じて、隔行の表示ラインに示された右眼用の映像を右眼で、左眼用の映像を左眼で視認し、両眼視差による立体映像を知覚することが可能となる。
【０００５】
さらに、電子シャッタ方式（アクティブタイプ）も開発されており、電子シャッタ方式を採用する場合、ディスプレイに、例えば１２０ｆｐｓ（Frame Per Second）といったフレーム切換速度で右眼用の映像データと左眼用の映像データとを交互に表示させる。そして、フレームに同期させて、右眼用の映像データを表示させているときには右のシャッタを開、左のシャッタを閉にし、左眼用の映像データを表示させているときには右のシャッタを閉、左のシャッタを開にする電子シャッタ眼鏡を通じて、観察者は、右眼用の映像を右眼で、左眼用の映像を左眼で、時分割で交互かつ排他的に視認し、両眼視差による立体映像を知覚することが可能となる。
【先行技術文献】
【特許文献】
【０００６】
【特許文献１】特開平０９―１８８９７号公報
【発明の概要】
【発明が解決しようとする課題】
【０００７】
上述した立体映像を知覚させるための映像や、２次元映像を表示させるためのディスプレイは、液晶ディスプレイ、有機ＥＬ(Electro Luminescence)ディスプレイ等で構成されており、表示させる映像をより美しく見せるべく、例えば、ディスプレイを構成する発光素子等の材料を工夫することで、映像の彩度を向上させることが考えられる。
【０００８】
しかし、発光素子の材料による彩度の向上には限界があり、また莫大な開発コスト、材料コストや製造コストもかかってしまう。したがって、簡易な方法で彩度を向上させる技術が望まれている。
【０００９】
そこで、本発明は、このような課題に鑑み、映像データを構成する画素毎の画素データの色を加工し、彩度を向上させて高画質な映像データを生成することが可能な、映像生成装置および映像生成方法を提供することを目的としている。
【課題を解決するための手段】
【００１０】
上記課題を解決するために、本発明の映像生成装置（１００）は、立体映像を知覚させるための右眼用の映像データを構成する右眼用の複数の画素データおよび左眼用の映像データを構成する左眼用の複数の画素データを取得する映像取得部（１５０、４１０、５１０）と、前記右眼用の複数の画素データまたは前記左眼用の複数の画素データのいずれか一方の眼用の複数の画素データである第１画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部（１６４）と、前記第１画素データのうち、導出された前記距離比率に基づく、前記第１対象データを含む所定パターン形状を成す複数の画素データと、前記右眼用の複数の画素データまたは前記左眼用の複数の画素データの他方の眼用の複数の画素データである第２画素データのうち、前記第１対象データから前記第１対象データに関連付けられた視差分ずれて位置する第２対象データを含む前記所定パターン形状を成す複数の画素データとが示す色が、すべて前記対象色であるか否かを判定する色判定部（１６６）と、すべて前記対象色であると判定されると、前記所定パターン形状を成す複数の画素データの色を、前記距離比率に基づく面積比で視覚混合すると前記対象色と視認される候補色群のいずれかの色に、前記面積比で変換する色変換部（１６８）と、を備え、前記距離比率は、前記対象色から前記対象色が属する色相の純色である対象純色までの第１距離と、前記対象色から前記対象純色の補色である対象補色までの第２距離との比率であり、前記候補色群は、前記対象純色および前記対象補色とで構成されることを特徴とする。
【００１２】
上記課題を解決するために、本発明の他の映像生成装置（１００）は、立体映像を知覚させるための右眼用の映像データを構成する右眼用の複数の画素データおよび左眼用の映像データを構成する左眼用の複数の画素データを取得する映像取得部（１５０、４１０、５１０）と、前記右眼用の複数の画素データまたは前記左眼用の複数の画素データのいずれか一方の眼用の複数の画素データである第１画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部（１６４）と、前記第１画素データのうち、導出された前記距離比率に基づく、前記第１対象データを含む所定パターン形状を成す複数の画素データと、前記右眼用の複数の画素データまたは前記左眼用の複数の画素データの他方の眼用の複数の画素データである第２画素データのうち、前記第１対象データから前記第１対象データに関連付けられた視差分ずれて位置する第２対象データを含む前記所定パターン形状を成す複数の画素データとが示す色が、すべて前記対象色であるか否かを判定する色判定部（１６６）と、すべて前記対象色であると判定されると、前記所定パターン形状を成す複数の画素データの色を、前記距離比率に基づく面積比で視覚混合すると前記対象色と視認される候補色群のいずれかの色に、前記面積比で変換する色変換部（１６８）と、を備え、前記距離比率は、前記対象色から前記対象色が属する色相の純色である対象純色までの第１距離と、前記対象色から前記対象純色の補色である対象補色までの第２距離から前記第１距離を引いた第３距離との比率であり、前記候補色群は、前記対象純色、前記対象補色および前記対象色とで構成されることを特徴とする。
【００１３】
上記課題を解決するために、本発明の他の映像生成装置（１００）は、立体映像を知覚させるための右眼用の映像データを構成する右眼用の複数の画素データおよび左眼用の映像データを構成する左眼用の複数の画素データを取得する映像取得部（１５０、４１０、５１０）と、前記右眼用の複数の画素データまたは前記左眼用の複数の画素データのいずれか一方の眼用の複数の画素データである第１画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部（１６４）と、前記第１画素データのうち、導出された前記距離比率に基づく、前記第１対象データを含む所定パターン形状を成す複数の画素データと、前記右眼用の複数の画素データまたは前記左眼用の複数の画素データの他方の眼用の複数の画素データである第２画素データのうち、前記第１対象データから前記第１対象データに関連付けられた視差分ずれて位置する第２対象データを含む前記所定パターン形状を成す複数の画素データとが示す色が、すべて前記対象色であるか否かを判定する色判定部（１６６）と、すべて前記対象色であると判定されると、前記所定パターン形状を成す複数の画素データの色を、前記距離比率に基づく面積比で視覚混合すると前記対象色と視認される候補色群のいずれかの色に、前記面積比で変換する色変換部（１６８）と、を備え、前記比率算出部（１６４）は、前記距離比率を算出する代わりに、１対１の固定値を前記距離比率として出力し、前記候補色群は、前記対象色から前記対象色が属する色相の純色である対象純色、前記対象色と前記対象純色との距離の２倍の距離だけ、前記対象色から前記対象純色と反対側に離れた位置の色である２倍色および前記対象色とで構成されることを特徴とする。
【００１４】
上記色変換部（１６８）は、前記第１画素データのうち、導出された前記距離比率に基づく、前記第１対象データを含む所定パターン形状を成す複数の画素データすべてと、第２画素データのうち、前記第１対象データから前記第１対象データに関連付けられた視差分ずれて位置する第２対象データを含む前記所定パターン形状を成す複数の画素データすべてのいずれか一方を、所定数のフレーム毎に前記対象純色に変換してもよい。
【００１５】
上記課題を解決するために、本発明の他の映像生成装置（６００）は、映像データを構成する複数の画素データを取得する映像取得部（６１０）と、前記複数の画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部（１６４）と、前記複数の画素データのうち、導出された前記距離比率に基づく、前記第１対象データを含む所定パターン形状を成す複数の画素データが示す色が、前記対象色であるか否かを判定する色判定部（６６６）と、すべて前記対象色であると判定されると、前記所定パターン形状を成す複数の画素データの色を、前記距離比率に基づく面積比で視覚混合すると前記対象色と視認される候補色群のいずれかの色に、前記対象色が属する色相の純色である対象純色を割り当てた５割を除く、残り５割に対して割り当てた面積比で変換するフレームと、前記対象純色のみに変換するフレームとで、所定数のフレーム毎に切り換えて、変換する色変換部（６６８）と、を備え、前記距離比率は、前記対象色から前記対象純色までの第１距離と、前記対象色から前記対象純色の補色である対象補色までの第２距離との比率であり、前記候補色群は、前記対象純色および前記対象補色とで構成されることを特徴とする。
上記課題を解決するために、本発明の他の映像生成装置（６００）は、映像データを構成する複数の画素データを取得する映像取得部（６１０）と、前記複数の画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部（１６４）と、前記複数の画素データのうち、導出された前記距離比率に基づく、前記第１対象データを含む所定パターン形状を成す複数の画素データが示す色が、前記対象色であるか否かを判定する色判定部（６６６）と、すべて前記対象色であると判定されると、前記所定パターン形状を成す複数の画素データの色を、前記距離比率に基づく面積比で視覚混合すると前記対象色と視認される候補色群のいずれかの色に、前記対象色が属する色相の純色である対象純色を割り当てた５割を除く、残り５割に対して割り当てた面積比で変換するフレームと、前記対象純色のみに変換するフレームとで、所定数のフレーム毎に切り換えて、変換する色変換部（６６８）と、を備え、前記距離比率は、前記対象色から前記対象純色までの第１距離と、前記対象色から前記対象純色の補色である対象補色までの第２距離から前記第１距離を引いた第３距離との比率であり、前記候補色群は、前記対象純色、前記対象補色および前記対象色とで構成されることを特徴とする。
上記課題を解決するために、本発明の他の映像生成装置（６００）は、映像データを構成する複数の画素データを取得する映像取得部（６１０）と、前記複数の画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく距離比率を算出する比率算出部（１６４）と、前記複数の画素データのうち、導出された前記距離比率に基づく、前記第１対象データを含む所定パターン形状を成す複数の画素データが示す色が、前記対象色であるか否かを判定する色判定部（６６６）と、すべて前記対象色であると判定されると、前記所定パターン形状を成す複数の画素データの色を、前記距離比率に基づく面積比で視覚混合すると前記対象色と視認される候補色群のいずれかの色に、前記対象色が属する色相の純色である対象純色を割り当てた５割を除く、残り５割に対して割り当てた面積比で変換するフレームと、前記対象純色のみに変換するフレームとで、所定数のフレーム毎に切り換えて、変換する色変換部（６６８）と、を備え、前記比率算出部は、前記距離比率を算出する代わりに、１対１の固定値を前記距離比率として出力し、前記候補色群は、前記対象色から前記対象純色、前記対象色と前記対象純色との距離の２倍の距離だけ、前記対象色から前記対象純色と反対側に離れた位置の色である２倍色および前記対象色とで構成されることを特徴とする。
【００１６】
上記課題を解決するために、本発明の映像生成方法は、立体映像を知覚させるための右眼用の映像データを構成する右眼用の複数の画素データおよび左眼用の映像データを構成する左眼用の複数の画素データを取得し、前記右眼用の複数の画素データまたは前記左眼用の複数の画素データのいずれか一方の眼用の複数の画素データである第１画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく、前記対象色から前記対象色が属する色相の純色である対象純色までの第１距離と、前記対象色から前記対象純色の補色である対象補色までの第２距離との比率である距離比率を算出し、前記第１画素データのうち、導出した前記距離比率に基づく、前記第１対象データを含む所定パターン形状を成す複数の画素データと、前記右眼用の複数の画素データまたは前記左眼用の複数の画素データの他方の眼用の複数の画素データである第２画素データのうち、前記第１対象データから前記第１対象データに関連付けられた視差分ずれて位置する第２対象データを含む前記所定パターン形状を成す複数の画素データとが示す色が、すべて前記対象色であるか否かを判定し、すべて前記対象色であると判定すると、前記所定パターン形状を成す複数の画素データの色を、前記距離比率に基づく面積比で視覚混合すると前記対象色と視認される、前記対象純色および前記対象補色とで構成される候補色群のいずれかの色に、前記面積比で変換することを特徴とする。
【００１７】
上記課題を解決するために、本発明の他の映像生成方法は、映像データを構成する複数の画素データを取得し、前記複数の画素データのうち、対象とする１の画素データである第１対象データが示す純色でない色である対象色の、Ｌ*ａ*ｂ*表色系の色空間上のａ*ｂ*色相環における円周上の色域の境界との位置関係に基づく、前記対象色から前記対象色が属する色相の純色である対象純色までの第１距離と、前記対象色から前記対象純色の補色である対象補色までの第２距離との比率である距離比率を算出し、前記複数の画素データのうち、導出した前記距離比率に基づく、前記第１対象データを含む所定パターン形状を成す複数の画素データが示す色が、前記対象色であるか否かを判定し、すべて前記対象色であると判定すると、前記所定パターン形状を成す複数の画素データの色を、前記距離比率に基づく面積比で視覚混合すると前記対象色と視認される、前記対象純色および前記対象補色とで構成される候補色群のいずれかの色に、前記対象純色を割り当てた５割を除く、残り５割に対して割り当てた面積比で変換するフレームと、前記対象純色のみに変換するフレームとで、所定数のフレーム毎に切り換えて、変換することを特徴とする。
【発明の効果】
【００１８】
本発明は、映像データを構成する画素毎の画素データの色を加工し、彩度を向上させて高画質な映像データを生成することが可能となる。
【図面の簡単な説明】
【００１９】
【図１】第１の実施形態にかかる映像生成装置の概略的な機能を示した機能ブロック図である。
【図２】第１の実施形態にかかる表示データ生成部の概略的な機能を示した機能ブロック図である。
【図３】比率算出部の処理を説明するための説明図である。
【図４】所定パターン形状の候補の一例を示す説明図である。
【図５】反対色を説明するための説明図である。
【図６】反対色を説明するための説明図である。
【図７】第１の実施形態にかかる色変換部による色変換処理を説明するための説明図である。
【図８】対象色、対象純色、対象補色、反対色の位置関係を説明するための説明図である。
【図９】色変換制御部の処理を説明するための説明図である。
【図１０】第１の実施形態にかかる映像生成方法の具体的な処理を説明するためのフローチャートである。
【図１１】比率算出処理ステップを説明するためのフローチャートである。
【図１２】対象純色への変換処理を説明するためのフローチャートである。
【図１３】対象補色への変換処理を説明するためのフローチャートである。
【図１４】反対色への変換処理を説明するためのフローチャートである。
【図１５】対象色、対象純色、対象補色、反対色の位置関係を説明するための説明図である。
【図１６】第２の実施形態にかかる色変換部による色変換処理を説明するための説明図である。
【図１７】対象色、対象純色、反対色、２倍色の位置関係を説明するための説明図である。
【図１８】第３の実施形態にかかる色変換部による色変換処理を説明するための説明図である。
【図１９】第４の実施形態にかかる映像生成装置の概略的な機能を示した機能ブロック図である。
【図２０】第５の実施形態にかかる映像生成装置の概略的な機能を示した機能ブロック図である。
【図２１】第６の実施形態にかかる映像生成装置の概略的な機能を示した機能ブロック図である。
【図２２】第６の実施形態にかかる表示データ生成部の概略的な機能を示した機能ブロック図である。
【図２３】第６の実施形態にかかる色変換制御部の処理を説明するための説明図である。
【図２４】第６の実施形態にかかる映像生成方法の具体的な処理を説明するためのフローチャートである。
【発明を実施するための形態】
【００２０】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
上述したように、立体映像を知覚させるための映像や、２次元映像を表示させるためのディスプレイでは、表示させる映像をより美しく見せるべく、映像の彩度を向上させたいという要望がある。以下、立体映像を知覚させるための映像の彩度を向上させる映像生成装置１００について、主に色の変換ロジックを、ロジック別に第１の実施形態から第３の実施形態まで実施形態を分けて説明し、その後、立体映像を知覚させるための映像の視差の取得手段がそれぞれ異なる映像生成装置４００、５００を第４の実施形態および第５の実施形態で説明し、それを２次元映像に応用した映像生成装置６００について第６の実施形態で説明する。
【００２２】
（第１の実施形態：映像生成装置１００）
図１は、第１の実施形態にかかる映像生成装置１００の概略的な機能を示した機能ブロック図である。図１に示すように、映像生成装置１００は、映像取得部１５０と、映像処理部１５２と、表示データ生成部１６０と、表示制御部１８０とを含んで構成される。
【００２３】
映像取得部１５０は、立体映像を知覚させるための映像データ（以下、単に立体映像データと称する）を、外部の放送局１２６や通信網（インターネットやＬＡＮ）１２８から取得する。また、ＤＶＤやＢＤといった記録媒体から直接、立体映像データを取得することもできる。
【００２４】
本実施形態において、映像取得部１５０は、まず、立体映像データとして、右眼用の映像データ（以下、単に右眼立体映像データと称する）と、左眼用の映像データ（以下、単に左眼立体映像データと称する）の２系統の映像データとを並行して取得する。このような立体映像データでは、右眼立体映像データと左眼立体映像データとが、１対（２つ）の撮像部によって個別に撮像され、もしくは、両眼視差が生じるように調整されている。
【００２５】
また、本実施形態においては、右眼立体映像データには、右眼立体映像データを構成する右眼用の複数の画素データ（以下、右眼画素データと称す）それぞれが持つ、対応する左眼立体映像データを構成する左眼用の画素データ（以下、左眼画素データと称す）との視差を示す視差情報が含まれている。視差情報では、例えば、右眼画素データそれぞれに視差が関連付けられている。かかる場合に限定されず、左眼立体映像データに、左眼画素データそれぞれが持つ対応する右眼画素データとの視差を示す視差情報が含まれていてもよい。さらに、視差情報は、画素毎に限らず、複数画素で構成されるブロック毎の視差を示してもよい。
【００２６】
映像処理部１５２は、映像取得部１５０を通じて取得された立体映像データに対して、Ｒ（Red）Ｇ（Green）Ｂ（Blue）処理（γ補正や色補正）などの所定の映像信号処理を行う。所定の映像信号処理が行なわれた立体映像データは、不図示のメモリにて保持される。
【００２７】
表示データ生成部１６０は、映像取得部１５０が取得した右眼画素データ、および左眼画素データを加工して、立体表示データを生成する。表示制御部１８０は、表示データ生成部１６０から出力された立体表示データに基づく映像をディスプレイ１１０に表示させる。
【００２８】
図２は、第１の実施形態にかかる表示データ生成部１６０の概略的な機能を示した機能ブロック図である。図２に示すように、表示データ生成部１６０は、画素取得部１６２と、比率算出部１６４と、色判定部１６６と、色変換部１６８（図２に示す第１色変換部１６８ａおよび第２色変換部１６８ｂ）と、第１スイッチ１７０ａと、第２スイッチ１７０ｂと、色変換制御部１７２とを含んで構成される。
【００２９】
画素取得部１６２は、第１画素データのうち、対象とする１の画素データである第１対象データを比率算出部１６４に出力する。
【００３０】
第１画素データは、右眼画素データ（右眼用の複数の画素データ）または左眼画素データ（左眼用の複数の画素データ）のいずれか一方の眼用の画素データであり、後述する第２画素データは、右眼画素データまたは左眼画素データの他方の（第１画素データではない方の）眼用の画素データである。
【００３１】
本実施形態において、第１画素データは、右眼画素データ、第２画素データは、左眼画素データとして説明するが、第１画素データを左眼画素データ、第２画素データを右眼画素データとしてもよいことは言うまでもない。
【００３２】
比率算出部１６４は、画素取得部１６２から出力された任意の第１対象データが示す色である対象色の、色空間上の色域の境界との位置関係に基づく距離比率を算出する。ここでは、例えば、Ｌ＊ａ＊ｂ＊表色系の色空間が用いられ、色域の境界は、例えば、ａ＊ｂ＊色相環における円周とする。
【００３３】
図３は、比率算出部１６４の処理を説明するための説明図である。図３に示すａ＊ｂ＊色相環における円周２００上の各点のデータは、Ｌ＊ａ＊ｂ＊表色系データにおいて彩度が最も高い純色を示す。
【００３４】
まず、比率算出部１６４は、第１対象データを、Ｒ(Red)、Ｇ(Green)、Ｂ(Blue)とするＲＧＢデータから、明度を示すＹ、およそ青みの程度を示すＺ、それ以外の要素を含むＸとからなるＸＹＺ表色系データに換算する。ＲＧＢデータからＸＹＺ表色系データへの換算には以下の式を用いる。
Ｘ＝0.412453×Ｒ＋0.35758×Ｇ＋0.180423×Ｂ    （式１）
Ｙ＝0.212671×Ｒ＋0.71516×Ｇ＋0.072169×Ｂ    （式２）
Ｚ＝0.019334×Ｒ＋0.119193×Ｇ＋0.950227×Ｂ    （式３）
次に比率算出部１６４は、画素データをＸＹＺ表色系データからＬ＊ａ＊ｂ＊表色系データに換算する。ＸＹＺ表色系データからＬ＊ａ＊ｂ＊表色系データへの換算には以下の式を用いる。
ｆｘ＝３√ｘγ                                但し、ｘγ>0.008856    （式４）
ｆｘ＝（903.3×ｘγ＋16）／116              但し、ｘγ≦0.008856    （式５）
ｆｙ＝３√ｙγ                                但し、ｙγ>0.008856    （式６）
ｆｙ＝（903.3×ｙγ＋16）／116              但し、ｙγ≦0.008856    （式７）
ｆｚ＝３√ｚγ                                但し、ｚγ>0.008856    （式８）
ｆｚ＝（903.3×ｚγ＋16）／116              但し、ｚγ≦0.008856    （式９）
ｘγ＝Ｘ／Ｘγ                                                      （式１０）
ｙγ＝Ｙ／Ｙγ                                                      （式１１）
ｚγ＝Ｚ／Ｚγ                                                      （式１２）
Ｌ＊＝１１６×ｆｙ−１６                                            （式１３）
ａ＊＝５００×（ｆｘ−ｆｙ）                                        （式１４）
ｂ＊＝２００×（ｆｙ−ｆｚ）                                        （式１５）
ここで上記式１０、１１、１２にあるＸγ、Ｙγ、Ｚγは対象とする物体色と同一照明下の完全拡散反射面の３刺激値であり、式１３のＬ＊は、明度を示す明度指数を、式１４のａ＊および式１５のｂ＊は、色相と彩度に相当する位置を示すクロマティクネス指数である。こうして算出された対象色を示す算出点Ｅを図３に表す。
【００３５】
続いて、比率算出部１６４は、算出点Ｅとａ＊ｂ＊色相環上の原点とを結ぶ直線およびａ＊ｂ＊色相環上の円周の交点であって算出点Ｅとの距離が近い方の交点Ｆを算出する。交点Ｆが示すａ＊値およびｂ＊値は、対象色に基づくＬ＊ａ＊ｂ＊表色系における純色、すなわち、対象色が属する色相の純色である対象純色を示すデータとなる。
【００３６】
また、比率算出部１６４は、ａ＊ｂ＊色相環上の原点を中心として交点Ｆと点対称の関係にある点Ｇを算出する。点Ｇが示すａ＊値およびｂ＊値は、交点Ｆが示す純色に対する補色、すなわち、対象純色の補色である対象補色を示す値となる。
【００３７】
こうして、比率算出部１６４は、対象色のＬ＊ａ＊ｂ＊表色系データ、対象純色および対象補色を示すＬ＊ａ＊ｂ＊表色系データをそれぞれ算出した後、距離比率を算出する。
【００３８】
本実施形態において、距離比率は、対象色から対象純色までの第１距離ＥＦと、対象色から対象補色までの第２距離ＥＧとの比率（α：β）である。ここで、αおよびβは自然数とする。
【００３９】
そして、画素取得部１６２は、距離比率に基づいて処理対象の画素数を決定する。画素数は、例えば、距離比率の比を示すα、βの和の整数倍となる値の１／２とし、その上限は８×８画素程度とする。画素数が上限を超える場合、画素取得部１６２は、距離比率をより小さな比に近似して画素数を決定する。例えば、距離比率が１０１：３００の場合、画素取得部１６２は、距離比率を１：３に近似して画素数を４とする。
【００４０】
続いて、画素取得部１６２は、決定した画素数に応じた所定パターン形状の候補を決定する。所定パターン形状の候補は、例えば、決定した画素数の画素が連接して構成されるブロックとして取り得るすべての組み合わせである。
【００４１】
図４は、所定パターン形状の候補の一例を示す説明図である。所定パターン形状の候補は、図４（ａ）〜（ｅ）に示す所定パターン形状に限らず、図４（ａ）〜（ｅ）に示す所定パターン形状を９０°、１８０°、２７０°それぞれ回転させたものも含む。ここでは、例えば、画素数が４の場合を例に挙げているが、他の画素数についても、画素数毎に、所定パターン形状の候補がある。
【００４２】
画素取得部１６２は、所定パターン形状の候補のいずれかを選択し、選択した所定パターン形状の一部に第１対象データが含まれるように、第１画素データから複数の画素データを選択する。
【００４３】
このとき、第１対象データは、所定パターン形状のいずれの位置であってもよい。例えば、図４（ａ）に示す所定パターン形状を選択した場合、画素取得部１６２は、画素２１０の位置２１２ａ、２１２ｂ、２１２ｃ、２１２ｄのいずれかに第１対象データが位置するように、複数の画素データを選択する。ただし、すでに色変換処理を行った画素データや映像のエッジ（輪郭）を構成する画素データは選択対象から外す。
【００４４】
また、画素取得部１６２は、視差情報から第１対象データの視差を取得し、第１対象データに対応する第２対象データを特定する。第２対象データは、第２画素データのうち、第１対象データに関連付けられた視差分、第１対象データから水平方向にずれて位置する画素データである。
【００４５】
さらに、画素取得部１６２は、第１画素データから選択した複数の画素データそれぞれについても、第１対象データに関連付けられた視差分ずれて位置する、第２画素データの複数の画素データを選択する。
【００４６】
このように、画素取得部１６２は、第１画素データのうち、導出された距離比率に基づく、第１対象データを含む所定パターン形状を成す複数の画素データと、第２対象データを含む所定パターン形状を成す複数の画素データとを取得する。
【００４７】
そして、色判定部１６６は、画素取得部１６２が取得した複数の画素データが示す色が、すべて対象色であるか否かを判定する。いずれかが対象色でないと判定された場合、所定パターン形状の他の候補においても、同様の色判定処理を行う。すべての候補で対象色でないと判定されると、１画素対１画素の色変換処理が行われる。
【００４８】
（１画素対１画素の色変換処理）
画素取得部１６２は、第１対象データを第１スイッチ１７０ａを介して第１色変換部１６８ａに出力し、第２対象データを第１スイッチ１７０ａを介して第２色変換部１６８ｂに出力する。
【００４９】
色変換制御部１７２は、水平同期信号、垂直同期信号およびフレーム番号の群から選択される１または複数に基づき、第１スイッチ１７０ａを制御して、第１対象データを第１色変換部１６８ａに供給するように制御し、第２対象データを第２色変換部１６８ｂに供給するように制御する。
【００５０】
色変換部１６８は、第１色変換部１６８ａと第２色変換部１６８ｂとで構成され、第１色変換部１６８ａは、第１対象データを対象純色に、第２色変換部１６８ｂは、第２対象データを反対色に変換する。
【００５１】
図５は、反対色を説明するための説明図である。反対色は、図５に示すａ＊ｂ＊色相環上において、対象色から対象純色と反対側に離れた位置（算出点Ｈ）の色である。
【００５２】
第１色変換部１６８ａは、色判定部１６６が算出した対象純色を示すＬ＊ａ＊ｂ＊表色系データを取得し、ＸＹＺ表色系データに換算する。Ｌ＊ａ＊ｂ＊表色系データからＸＹＺ表色系データへの換算には以下の式が用いられる。
ｘγ＝ｆｘ３                            但し、ｆｘ３>0.008856      （式１６）
ｘγ＝（116×ｆｘ―16）／903.3        但し、ｆｘ３≦0.008856      （式１７）
ｙγ＝（（Ｌ＊＋16）／116）３          但し、Ｌ＊>903.3×0.008856（式１８）
ｙγ＝Ｌ＊／903.3                      但し、Ｌ＊≦903.3×0.008856（式１９）
ｚγ＝ｆｚ３                            但し、ｆｚ３>0.008856      （式２０）
ｚγ＝（116×ｆｚ―16）／903.3        但し、ｆｚ３≦0.008856      （式２１）
ｆｘ＝ａ＊／500＋ｆｙ                                              （式２２）
ｆｙ＝（Ｌ＊＋16）／116                但し、ｙγ>0.008856        （式２３）
ｆｙ＝（903.3×ｙγ＋16）／116        但し、ｙγ≦0.008856        （式２４）
ｆｚ＝ｆｙ−ｂ＊／200                                              （式２５）
Ｘ＝ｘγ×Ｘγ                                                      （式２６）
Ｙ＝ｙγ×Ｙγ                                                      （式２７）
Ｚ＝ｚγ×Ｚγ                                                      （式２８）
ここで、上記式２６、２７、２８に示すＸγ、Ｙγ、Ｚγは対象とする物体色と同一照明下の完全拡散反射面の３刺激値である。
【００５３】
最後に第１色変換部１６８ａは、換算した純色を示すＸＹＺ表色系データをＲＧＢデータに換算する。ＸＹＺ表色系データからＲＧＢデータへの換算は以下の式で求めることができる。
Ｒ＝3.240479×Ｘ―1.53715×Ｙ―0.498535×Ｚ                        （式２９）
Ｇ＝―0.969256×Ｘ＋1.875991×Ｙ＋0.041556×Ｚ                      （式３０）
Ｂ＝0.055648×Ｘ―0.204043×Ｙ＋1.057311×Ｚ                        （式３１）
【００５４】
第２色変換部１６８ｂは、色判定部１６６が算出した対象純色を示すＬ＊ａ＊ｂ＊表色系データを取得し、算出点Ｅを中心として、対象純色を示す交点Ｆと点対称の関係にある算出点Ｈを算出する。算出点Ｈが示すａ＊値およびｂ＊値は、反対色を示すデータとなる。続いて、第２色変換部１６８ｂは、上記式１６〜３１を用いて、反対色を示すＬ＊ａ＊ｂ＊表色系データをＲＧＢデータに換算する。
【００５５】
ここで、第１色変換部１６８ａおよび第２色変換部１６８ｂは、上記式１〜３１を用いてＲＧＢデータをＸＹＺ表色系データに、ＸＹＺ表色系データをＬ＊ａ＊ｂ＊表色系データに換算し、Ｌ＊ａ＊ｂ＊表色系データをＸＹＺ表色系データに、ＸＹＺ表色系データをＲＧＢデータに換算しているが、ＲＧＢデータとＸＹＺ表色系データとの関係を示すテーブルおよびＸＹＺ表色系データとＬ＊ａ＊ｂ＊表色系データとの関係を示すテーブルを予めメモリに保持させておき、かかるテーブルを参照することで上記換算を行うこともできる。かかるテーブルを備える構成により、処理負荷を軽減することが可能となる。
【００５６】
色変換処理の対象となった第１対象データと第２対象データとは、隣接したり時系列に連続したりして視認されるため、第１対象データが示す色と第２対象データとが示す色とで視覚混合を生じさせる。
【００５７】
視覚混合とは、細かい点をある程度離れた距離から視認した場合、それぞれの点が示す２つ以上の色が混ざった色として認識されるという視覚特性である。ディスプレイに表示される映像は、画素という点の集合体であるため、上記視覚混合の効果を得ることができる。視覚混合によって対象純色と反対色とが合成され、ユーザに対象色を視認させる。
【００５８】
こうして、ユーザに対象色を視認させた上で、対象純色と反対色とで、補色対比の効果が得られる。補色対比は、補色関係にある２色を同時に視認すると、互いの色を引き立て合い、互いの色の彩度が強調される現象である。
【００５９】
対象純色と反対色とは、厳密には補色の関係にはないが、反対色は、対象補色（点Ｇ）と同一の色相の色であるため、対象純色と合わせて視認すると、彩度向上効果を得ることができる。
【００６０】
図６は、反対色を説明するための説明図である。図６に示すように、対象色の算出点Ｅが純色を示す交点Ｆに近く、反対色が対象補色（点Ｇ）と同一の色相にない場合も生じ得る。しかし、対象純色は彩度が最も高い色であるため、図５の例よりもその効果は弱まるものの、色変換処理前よりも彩度が向上する。
【００６１】
（複数画素対複数画素の色変換処理）
色判定処理において、色判定部１６６が、所定パターン形状を成す複数の画素データについて、すべて対象色であると判定した場合、画素取得部１６２は、第１画素データから選択した所定パターン形状を成す複数の画素データを第１色変換部１６８ａに出力し、第２画素データから選択した所定パターン形状を成す複数の画素データを第２色変換部１６８ｂに出力する。
【００６２】
第１色変換部１６８ａは、入力されたすべての画素データの色を、対象純色に変換する。具体的な処理については、上述した１画素対１画素の色変換処理の場合と同様であるため、説明を省略する。
【００６３】
第２色変換部１６８ｂは、入力された画素データの色を、対象純色または対象補色に変換する。どの画素データを対象純色とし、どの画素データを対象補色とするかは、色変換制御部１７２の制御に従う。色変換制御部１７２は、第２色変換部１６８ｂを、後述する面積比で、対象純色と対象補色とを切り換えて色変換処理を行うように制御する。
【００６４】
ここでは、第２色変換部１６８ｂによる対象純色への変換処理は、第１色変換部１６８ａと同様であるため、説明を省略し、対象補色への変換処理について説明する。
【００６５】
第２色変換部１６８ｂは、色判定部１６６から対象補色を示すＬ＊ａ＊ｂ＊表色系データを取得し、取得したＬ＊ａ＊ｂ＊表色系データを、ＸＹＺ表色系データを介して、ＲＧＢデータに換算する。Ｌ＊ａ＊ｂ＊表色系データからＸＹＺ表色系データ、ＸＹＺ表色系データからＲＧＢデータへの換算には、対象純色と同様、式１６〜式３１が用いられる。
【００６６】
こうして、色変換部１６８（第１色変換部１６８ａ、第２色変換部１６８ｂ）は、入力された複数の画素データの色を、距離比率に基づく面積比で視覚混合すると対象色と視認される候補色群のいずれかの色に、その面積比で変換する。
【００６７】
本実施形態において、候補色群は、対象純色および対象補色とで構成される。また、面積比は、距離比率の逆の比率に近似する値である。
【００６８】
図７は、第１の実施形態にかかる色変換部１６８による色変換処理を説明するための説明図である。図７（ａ）は、色変換処理前の第２（左眼）画素データの一部を、図７（ｂ）は、色変換処理前の第１（右眼）画素データの一部を、図７（ｃ）は、色変換処理後の第２（左眼）画素データの一部を、図７（ｄ）は、色変換処理後の第１（右眼）画素データの一部をそれぞれ示す。ここでは、説明の便宜上、画素２１０それぞれに行と列の位置を示す番号を図示する。また、図７において、対象色をクロスハッチングで示し、対象純色を縦縞のハッチングで示し、対象補色を黒色で示す。
【００６９】
ここでは、例えば、距離比率が１：７、画素数が（１＋７）／２＝４であり、図７（ａ）、図７（ｂ）に示す枠２２０の所定パターン形状であったとする。この場合、画素取得部１６２が選択した所定パターン形状を成す８つ（４×２）の画素データ（第２画素データの番号１１、１２、２１、２２、第１画素データの番号３１、３２、４１、４２）について、距離比率の逆の比率、すなわち、７：１の面積比で対象純色と対象補色とが割り当てられる。
【００７０】
図７（ｄ）に示すように、第１画素データから選択された４の画素データは、すべて対象純色とする。そして、図７（ｃ）に示すように、第２画素データから選択された４の画素データは、対象純色の画素データが３つ、対象補色の画素データが１つに変換される。
【００７１】
図８は、対象色、対象純色、対象補色、反対色の位置関係を説明するための説明図である。図８では、図７と同様、距離比率が１：７、すなわち、対象色（算出点Ｅ）から対象純色（交点Ｆ）までの距離を１とすると、対象色から対象補色（点Ｇ）までの距離は７の場合を示す。
【００７２】
まず、図７（ｃ）に示す第２画素データから選択された４の画素データの視覚混合について説明する。対象補色の面積が１画素分に対して対象純色の面積が３画素分となる色の組み合わせは、視覚混合によって、図８に示す線分ＦＧを１：３＝２：６に分ける位置の色、すなわち反対色（算出点Ｈ）として視認される。
【００７３】
一方、図７（ｄ）に示す第１画素データから選択された４の画素データは、すべて対象純色であるため、そのまま対象純色として視認される。
【００７４】
そして、この反対色に見える４の画素データと、対象純色に見える４の画素データとは、同じ面積であるため、視覚混合によって、線分ＦＨを１：１に分ける位置の色、すなわち対象色（算出点Ｅ）として視認される。
【００７５】
このように、同じ色の複数の画素データについて、まとめて色変換処理を行うことで、対象純色と対象補色のみで対象色を表わすことが可能となり、対象色の色相や明度を再現しつつ、対象純色と対象補色の補色対比によって彩度をより向上することが可能となる。
【００７６】
まだ色変換処理を施していない画素データを第１対象データとして、順次、上述した色変換処理が遂行される。そして、画素取得部１６２が取得した立体映像データすべてに対して、複数画素対複数画素の色変換処理、１画素対１画素の色変換処理のいずれかが行われることとなる。
【００７７】
第１色変換部１６８ａおよび第２色変換部１６８ｂは、第２スイッチ１７０ｂを介して表示制御部１８０に色変換処理後の画素データを出力する。上述したように、本実施形態では、所定パターン形状の複数の画素データ毎に色変換処理が行われることがある。この場合、色変換処理が行われた画素データから順次表示制御部１８０に出力すると、画素データの本来の順序が崩れてしまう。
【００７８】
そこで、第１色変換部１６８ａおよび第２色変換部１６８ｂは、色変換処理を行った画素データを内部バッファ（図示せず）に、例えば、１フレーム分保持し、画素データの順序を整えた上で、表示制御部１８０へ出力することとする。
【００７９】
（フレームシーケンシャル方式の動画）
本実施形態の映像生成装置１００は、静止画および動画のいずれを構成する立体映像データに対しても適用可能である。ここでは、特に、立体映像データが動画を目的とし、フレームシーケンシャル方式のディスプレイに表示させる場合に適用可能な処理について説明する。
【００８０】
色変換制御部１７２は、フレーム番号に基づき、第１スイッチ１７０ａを制御して、第１画素データの供給先を、第１色変換部１６８ａと第２色変換部１６８ｂとに、１フレーム置きに見た場合交互になるように切り換え、第２画素データの供給先を、第１画素データとは排他的に、第１色変換部１６８ａと第２色変換部１６８ｂとに、１フレーム置きに見た場合交互になるように切り換える。
【００８１】
第１画素データまたは第２画素データのいずれが第１色変換部１６８ａに出力されている場合であっても、第１色変換部１６８ａは、第１画素データのうち、第１対象データを含む所定パターン形状を成す複数の画素データすべてを対象純色に変換する。
【００８２】
すると、第１色変換部１６８ａは、第１対象データを含む所定パターン形状を成す複数の画素データと、第２対象データを含む所定パターン形状を成す複数の画素データとを、所定数のフレーム毎に、本実施形態においては１フレーム毎に、交互に対象純色に変換することとなる。
【００８３】
また、第２色変換部１６８ｂは、第１対象データを含む所定パターン形状を成す複数の画素データと、第２対象データを含む所定パターン形状を成す複数の画素データとを、所定数のフレーム毎に、本実施形態においては１フレーム毎に、交互に対象純色または対象補色に変換することとなる。
【００８４】
上述した１画素対１画素の色変換処理においても同様に、第１色変換部１６８ａは、第１対象データと、第２対象データとを、１フレーム置きに見た場合、所定数のフレーム毎に、本実施形態においては１フレーム毎に、交互に対象純色に変換する。第２色変換部１６８ｂは、第１対象データと、第２対象データとを、１フレーム置きに見た場合、所定数、本実施形態においては１フレーム毎に交互に、反対色に変換する。
【００８５】
図９は、色変換制御部１７２の処理を説明するための説明図である。表示データ生成部１６０から出力される立体表示データは、図９に示すように、フレーム１において、右眼立体映像データを構成する画素データが示す色が対象純色に変換され（図９中、黒色で示す）、次のフレーム２において、左眼立体映像データを構成する画素データが示す色が対象純色、対象補色または反対色に変換される（図９中、白色で示す）。
【００８６】
また、立体表示データは、フレーム３において、右眼立体映像データを構成する画素データが示す色が対象純色、対象補色、または反対色に変換され（図９中、白色で示す）、次のフレーム４において、左眼立体映像データを構成する画素データが示す色が対象純色に変換される（図９中、黒色で示す）。
【００８７】
こうして、立体表示データは、フレーム（１＋４×（ｑ−１））（ｑは自然数）において、対象純色に変換された右眼立体映像データが配され、フレーム（３＋４×（ｑ−１））において、対象純色、対象補色、および反対色に変換された右眼立体映像データが配され、フレーム（２＋４×（ｑ−１））において、対象純色、対象補色、および反対色に変換された左眼立体映像データが配され、フレーム（４×ｑ）において、対象純色に変換された右眼立体映像データが配される。
【００８８】
したがって、フレームシーケンシャル方式のディスプレイに表示させるための立体表示データを生成する場合、右眼で視認する映像と左眼で視認する映像とで視覚混合と補色対比の効果を得ることができ、同一眼で視認する映像においてフレーム毎に視覚混合と補色対比の効果を得ることができ、対象色の色相や明度を維持したまま、彩度を大幅に向上させることが可能となる。
【００８９】
以上説明したように、本実施形態にかかる映像生成装置１００によれば、視覚混合により立体映像データを構成する画素データが示す対象色の色相や明度を維持したまま、補色対比により彩度を向上させた立体表示データを生成することができ、高画質な立体映像を視聴者に知覚させることが可能となる。
【００９０】
（立体映像生成方法）
また、上述した映像生成装置１００を用いた映像生成方法も提供される。図１０は、第１の実施形態にかかる映像生成方法の具体的な処理を説明するためのフローチャートである。図１０に示す処理は、立体映像データが入力されている間、所定周期で繰り返し実行される。
【００９１】
画素取得部１６２は、立体映像データからまだ色変換処理を行っていない第１対象データを取得し（Ｓ３００）、比率算出部１６４は、第１対象データについて距離比率を算出する（Ｓ３０２）。
【００９２】
図１１は、比率算出処理ステップＳ３０２を説明するためのフローチャートである。図１１に示すように、上記式１〜式３を用いて、比率算出部１６４は、第１対象データをＲＧＢデータからＸＹＺ表色系データに換算し（Ｓ３５０）、上記式４〜式１５を用いてＸＹＺ表色系データからＬ＊ａ＊ｂ＊表色系データに換算する（Ｓ３５２）。
【００９３】
そして、比率算出部１６４は、対象純色のＬ＊ａ＊ｂ＊表色系データを算出し（Ｓ３５４）、対象補色のＬ＊ａ＊ｂ＊表色系データを算出する（Ｓ３５６）。続いて、比率算出部１６４は、距離比率（α：β）を算出する（Ｓ３５８）。
【００９４】
図１０に戻って、画素取得部１６２は、距離比率に基づいて画素数を決定する（Ｓ３０４）。そして、画素取得部１６２は、決定した画素数に応じた所定パターン形状の候補を決定する（Ｓ３０６）。画素取得部１６２は、まだ選択していない所定パターン形状の候補のうちの１つを選択し（Ｓ３０８）、選択した所定パターン形状の一部に第１対象データが含まれるように、第１画素データから複数の画素データを選択する（Ｓ３１０）。
【００９５】
また、画素取得部１６２は、視差情報から第１対象データの視差を取得し、第１対象データに対応する第２対象データを特定する（Ｓ３１２）。さらに、画素取得部１６２は、第１画素データから選択した複数の画素データそれぞれについても、第１対象データに関連付けられた視差分ずれて位置する、第２画素データの複数の画素データを選択する（Ｓ３１４）。
【００９６】
画素取得部１６２は、選択した第１画素データの複数の画素データと第２画素データの複数の画素データが、すでに色変換処理されたものであるか否かを判定する（Ｓ３１６）。すでに色変換処理されている画素データが１つでも含まれる場合（Ｓ３１６におけるＹＥＳ）、まだ選択していない所定パターン形状の候補があるか否かを判定する（Ｓ３１８）。候補があれば（Ｓ３１８におけるＹＥＳ）、パターン選択ステップＳ３０８に戻る。候補がなければ（Ｓ３１８におけるＮＯ）、後述する対象決定ステップＳ３２２に処理を移す。
【００９７】
色変換判定ステップＳ３１６において、すべての画素データがまだ色変換処理されていなかった場合（Ｓ３１６におけるＮＯ）、色判定部１６６は、画素取得部１６２が取得した複数の画素データが示す色が、すべて対象色であるか否かを判定する（Ｓ３２０）。いずれかが対象色でないと判定された場合（Ｓ３２０におけるＮＯ）、候補判定ステップＳ３１８に処理を移す。
【００９８】
候補判定ステップＳ３１８において、まだ選択していない所定パターン形状の候補がない場合（Ｓ３１８におけるＮＯ）、１画素対１画素の色変換処理が確定、すなわち１画素の第１対象データ自体および１画素の第２対象データ自体が処理対象となる（Ｓ３２２）。
【００９９】
色判定処理Ｓ３２０において、すべて対象色であった場合（Ｓ３２０におけるＹＥＳ）、複数画素対複数画素の色変換処理が確定、すなわち第１画素データから選択した複数の画素データおよび第２画素データから選択した複数の画素データが処理対象となる（Ｓ３２４）。
【０１００】
続いて、色変換制御部１７２は、第１対象データのフレーム番号が（１＋４×（ｑ−１））（ｑは自然数）に該当するか否かを判定する（Ｓ３２６）。該当する場合（Ｓ３２６におけるＹＥＳ）、色変換制御部１７２は、処理対象となった第１対象データまたは第１画素データから選択した複数の画素データを、第１色変換部１６８ａに出力させ、第１色変換部１６８ａが対象純色に変換する（Ｓ３２８）。
【０１０１】
また、色変換制御部１７２は、処理対象となった第２対象データまたは第２画素データから選択した複数の画素データ（フレーム番号は（２＋４×（ｑ−１）に該当）を、第２色変換部１６８ｂに出力させ、第２色変換部１６８ｂが対象純色、対象補色または反対色に変換する（Ｓ３３０）。
【０１０２】
フレーム番号判定ステップＳ３２６において、該当しなかった場合（Ｓ３２６におけるＮＯ）、第１対象データのフレーム番号は（３＋４×（ｑ−１））に該当するため、色変換制御部１７２は、処理対象となった第２対象データまたは第２画素データから選択した複数の画素データを、第１色変換部１６８ａに出力させ、第１色変換部１６８ａが対象純色に変換する（Ｓ３３２）。
【０１０３】
また、色変換制御部１７２は、処理対象となった第１対象データまたは第１画素データから選択した複数の画素データを（フレーム番号は（４×ｑ）に該当）、第２色変換部１６８ｂに出力させ、第２色変換部１６８ｂが対象純色、対象補色または反対色に変換する（Ｓ３３４）。
【０１０４】
図１２は、対象純色への変換処理を説明するためのフローチャートである。図１２に示すように、第１色変換部１６８ａは、対象純色算出ステップＳ３５４で算出された対象純色のＬ＊ａ＊ｂ＊表色系データを、比率算出部１６４から取得し（Ｓ４００）、取得したＬ＊ａ＊ｂ＊表色系データを上記式１６〜２８を用いてＸＹＺ表色系データに換算し（Ｓ４０２）、上記式２９から３１を用いてＸＹＺ表色系データをＲＧＢデータに換算する（Ｓ４０４）。
【０１０５】
図１３は、対象補色への変換処理を説明するためのフローチャートである。図１３に示すように、第２色変換部１６８ｂは、対象補色算出ステップＳ３５６で算出された対象補色のＬ＊ａ＊ｂ＊表色系データを、比率算出部１６４から取得し（Ｓ４２０）、取得したＬ＊ａ＊ｂ＊表色系データを上記式１６〜２８を用いてＸＹＺ表色系データに換算し（Ｓ４２２）、上記式２９から３１を用いてＸＹＺ表色系データをＲＧＢデータに換算する（Ｓ４２４）。
【０１０６】
図１４は、反対色への変換処理を説明するためのフローチャートである。図１４に示すように、第２色変換部１６８ｂは、対象純色算出ステップＳ３５４で算出された対象純色のＬ＊ａ＊ｂ＊表色系データを取得し（Ｓ４４０）、Ｌ＊ａ＊ｂ＊表色系の色空間上の対象色の位置を中心として、対象純色を示す位置と点対称の関係にある算出点Ｈ（反対色）のＬ＊ａ＊ｂ＊表色系データを算出する（Ｓ４４２）。
【０１０７】
続いて、第２色変換部１６８ｂは、算出した反対色のＬ＊ａ＊ｂ＊表色系データを上記式１６〜２８を用いてＸＹＺ表色系データに換算し（Ｓ４４４）、上記式２９から３１を用いてＸＹＺ表色系データをＲＧＢデータに換算する（Ｓ４４６）。
【０１０８】
上述した図１２から図１４までの処理は、第１色変換部１６８ａによる色変換処理ステップＳ３２８、Ｓ３３２および第２色変換部１６８ｂによる色変換処理ステップＳ３３０、Ｓ３３４において、適宜実行される。
【０１０９】
図１０に戻って、表示制御部１８０は、右眼立体映像データおよび左眼立体映像データのそれぞれ１フレーム分について、色変換処理が完了したか否かを判定する（Ｓ３３６６）。完了していない場合（Ｓ３３６におけるＮＯ）、画素取得ステップＳ３００に戻る。完了している場合（Ｓ３３６におけるＹＥＳ）、第１色変換部１６８ａおよび第２色変換部１６８ｂは、それぞれ１フレーム分の立体表示データを表示制御部１８０に出力し、表示制御部１８０は、立体表示データに基づく映像をディスプレイ１１０に表示させる（Ｓ３３８）。
【０１１０】
以上説明したように、本実施形態にかかる映像生成方法においても、視覚混合により立体映像データを構成する画素データが示す対象色の色相や明度を維持したまま、補色対比により彩度を向上させた立体表示データを生成することができ、高画質な立体映像を視聴者に知覚させることが可能となる。
【０１１１】
（第２の実施形態）
上述した第１の実施形態では、複数画素対複数画素の色変換処理において、対象色を対象純色と対象補色とに変換した。第２の実施形態では、他の組み合わせの色に変換する処理について説明する。
【０１１２】
図１５は、対象色、対象純色、対象補色、反対色の位置関係を説明するための説明図である。第２の実施形態において、距離比率は、対象色（算出点Ｅ）から対象純色までの第１距離ＥＦと、対象色（算出点Ｅ）から対象補色（点Ｇ）までの第２距離ＥＧから第１距離ＥＦを引いた第３距離との比率である。
【０１１３】
図１５に示すように、第１距離ＥＦは、対象色（算出点Ｅ）から反対色（算出点Ｈ）までの距離ＥＨに等しい。そのため、距離比率は、対象色（算出点Ｅ）から反対色（算出点Ｈ）までの距離ＥＨと、反対色（算出点Ｈ）から対象補色（点Ｇ）までの距離ＨＧとの比と等しい。図１５の場合、距離比率は１：７となる。
【０１１４】
また本実施形態において、候補色群は、対象純色、対象補色および対象色とで構成される。そして、その面積比は、５割を対象純色に割り当て、残り５割に対して距離比率の逆の比率に近似する値で対象補色と対象色とを割り当てた場合における、対象純色と対象補色と対象色との比である。
【０１１５】
図１６は、第２の実施形態にかかる色変換部１６８による色変換処理を説明するための説明図である。図１６（ａ）は、色変換処理前の第２（左眼）画素データの一部を、図１６（ｂ）は、色変換処理前の第１（右眼）画素データの一部を、図１６（ｃ）は、色変換処理後の第２（左眼）画素データの一部を、図１６（ｄ）は、色変換処理後の第１（右眼）画素データの一部をそれぞれ示す。ここでは、説明の便宜上、画素２１０それぞれに行と列の位置を示す番号を図示する。また、図１６において、対象色をクロスハッチングで示し、対象純色を縦縞のハッチングで示し、対象補色を黒色で示す。
【０１１６】
ここでは、画素数が（１＋７）×４／２＝１６であり、図１６（ａ）、（ｂ）に示す枠２２０の所定パターン形状であったとする。この場合、画素取得部１６２が選択した所定パターン形状を成す１６の画素データ（第２画素データの番号１１、１２、１３、１４、２１、２２、２３、２４、３１、３２、３３、３４、４１、４２、４３、４４、第１画素データの番号３１、３２、３３、３４、４１、４２、４３、４４、５１、５２、５３、５４、６１、６２、６３、６４）について、５割に当たる第１画素データの１６の画素データに対象純色が割り当てられる。
【０１１７】
そして、残り５割の第１画素データについて、距離比率の逆の比率、すなわち、７：１の比率で対象色と対象補色とが割り当てられる。具体的には、対象色に１４、対象補色に２の画素データが割り当てられる。
【０１１８】
ここでは、第１画素データおよび第２画素データから選択された、所定パターン形状を成す画素データ全体の面積比は、対象純色の面積：対象補色の面積：対象色の面積＝８：１：７となる。
【０１１９】
まず、図１６（ｃ）に示す第２画素データから選択された１６の画素データの視覚混合について説明する。対象補色の面積２画素分に対して対象色の面積が１４画素分となる色の組み合わせは、視覚混合によって、図１５に示す線分ＥＧを１４：２＝７：１に分ける位置の色、すなわち反対色（算出点Ｈ）となる。
【０１２０】
一方、図１６（ｄ）に示す第１画素データから選択された１６の画素データは、すべて対象純色であるため、そのまま対象純色として視認される。
【０１２１】
そして、この反対色（算出点Ｈ）に見える１６の画素データと、対象純色（交点Ｆ）に見える１６の画素データとは、同じ面積であるため、視覚混合によって、図１５に示す線分ＦＨを１：１に分ける位置の色、すなわち対象色（算出点Ｅ）と視認される。
【０１２２】
本実施形態においても、同じ色の複数の画素データについて、まとめて色変換処理を行うことで、対象色の色相や明度を再現しつつ、対象純色と対象補色の補色対比によって彩度を向上することが可能となる。また、フレーム周期が遅かったりして視覚混合の効果が弱い場合であっても、対象色のままの画素データが含まれるため、対象色の色相の再現性を高く維持できる。
【０１２３】
（第３の実施形態）
第３の実施形態では、上述した第１の実施形態および第２の実施形態とも異なる組み合わせの色に変換する処理について説明する。
【０１２４】
第３の実施形態において、比率算出部１６４は、距離比率を算出する代わりに、１対１の固定値を距離比率として出力する。また、候補色群は、対象純色、２倍色、および対象色とで構成される。そして、その面積比は、５割を対象純色に割り当て、残り５割に対して距離比率、すなわち１対１で２倍色と対象色とを割り当てた場合における、対象純色と２倍色と対象色との比である。
【０１２５】
図１７は、対象色、対象純色、反対色、２倍色の位置関係を説明するための説明図である。図１７に示すように、２倍色は、対象色（算出点Ｅ）と対象純色（交点Ｆ）との距離の２倍の距離だけ、対象色から対象純色と反対側に離れた位置（算出点Ｉ）の色である。
【０１２６】
図１８は、第３の実施形態にかかる色変換部１６８による色変換処理を説明するための説明図である。図１８（ａ）は、色変換処理前の第２（左眼）画素データの一部を、図１８（ｂ）は、色変換処理前の第１（右眼）画素データの一部を、図１８（ｃ）は、色変換処理後の第２（左眼）画素データの一部を、図１８（ｄ）は、色変換処理後の第１（右眼）画素データの一部をそれぞれ示す。ここでは、説明の便宜上、画素２１０それぞれに行と列の位置を示す番号を図示する。また、図１８において、対象色をクロスハッチングで示し、対象純色を縦縞のハッチングで示し、対象補色を黒色で示し、２倍色を斜線のハッチングで示す。
【０１２７】
ここでは、画素数が（１＋１）×２／２＝２であり、図１８（ａ）、（ｂ）に示す枠２２０の所定パターン形状であったとする。この場合、画素取得部１６２が選択した所定パターン形状を成す４の画素データ（第２画素データの番号１１、２１、第１画素データの番号３１、４１）について、５割に当たる第１画素データのすべて、すなわち２の画素データに対象純色が割り当てられる。
【０１２８】
そして、残り５割の第１画素データについて、１：１の比率で２倍色と対象色とが割り当てられる。つまり、２倍色、対象色それぞれ１の画素データが割り当てられる。
【０１２９】
ここでは、第１画素データおよび第２画素データから選択された、所定パターン形状を成す画素データ全体の面積比は、対象純色の面積：２倍色の面積：対象色の面積＝２：１：１となる。
【０１３０】
まず、図１８（ｃ）に示す第２画素データから選択された２の画素データの視覚混合について説明する。対象色（算出点Ｅ）の面積１画素分に対して２倍色（算出点Ｉ）の面積が１画素分となる色の組み合わせは、視覚混合によって、図１７に示す線分ＥＩを１：１に分ける位置の色、すなわち反対色（算出点Ｈ）となる。
【０１３１】
一方、図１８（ｄ）に示す第１画素データから選択された２の画素データは、すべて対象純色であるため、そのまま対象純色として視認される。
【０１３２】
そして、この反対色（算出点Ｈ）に見える２の画素データと、対象純色（交点Ｆ）に見える２の画素データとは、同じ面積であるため、視覚混合によって、図１７に示す線分ＦＨを１：１に分ける位置の色、すなわち対象色（算出点Ｅ）と視認される。
【０１３３】
本実施形態においても、同じ色の複数の画素データについて、まとめて色変換処理を行うことで、対象色の色相や明度を再現しつつ、第１画素データを対象純色に変換する。対象純色は彩度が最も高い色であるため、第１の実施形態や第２の実施形態よりもその効果は弱まるものの、色変換処理前よりも彩度が向上する。また、フレーム周期が遅かったりして視覚混合の効果が弱い場合であっても、対象色のままの画素データが含まれるため、映像生成装置１００は、対象色の色相の再現性を高く維持できる。さらに、映像生成装置１００は、画素数を予め小さい数、例えば２画素に決定しておけるため、所定パターン形状の候補を絞り処理負荷の軽減が可能となる。
【０１３４】
（第４の実施形態）
上述した第１〜第３の実施形態では、映像取得部１５０は、予め視差情報が含まれる立体映像データを取得していた。第４の実施形態では、視差情報を生成して映像データに付加する映像生成装置４００について説明する。
【０１３５】
図１９は、第４の実施形態にかかる映像生成装置４００の概略的な機能を示した機能ブロック図である。図１９に示すように、映像生成装置４００は、映像取得部４１０と、立体処理部４１２と、映像処理部１５２と、表示データ生成部１６０と、表示制御部１８０とを含んで構成される。第１の実施形態の映像生成装置１００として既に述べた、映像処理部１５２と、表示データ生成部１６０と、表示制御部１８０とは、実質的に機能が同一なので重複説明を省略し、ここでは、構成が相違する映像取得部４１０と、立体処理部４１２とを主に説明する。
【０１３６】
映像取得部４１０は、２Ｄの映像データを、外部の放送局１２６や通信網１２８から取得する。また、映像取得部４１０は、ＤＶＤやＢＤといった記録媒体から直接、映像データを取得することもできる。
【０１３７】
立体処理部４１２は、映像取得部４１０が取得した映像データに対して、２Ｄ→３Ｄ変換処理を行う。２Ｄ→３Ｄ変換は、２Ｄ映像の映像データを擬似的な３Ｄ映像の立体映像データに変換する手法である。
【０１３８】
２Ｄ→３Ｄ変換処理において生成される右眼立体映像データおよび左眼立体映像データは、対応する画素データまたはブロック毎に、視差に相当する分、互いに水平方向にずれている。立体処理部４１２は、この視差分のずれを、視差情報として右眼立体映像データに付加する。
【０１３９】
本実施形態の映像生成装置４００は、２Ｄ→３Ｄ変換処理において、視差情報を付加しつつ、上述した第１〜第３の実施形態のような色変換処理を行う。そのため、第１画素データと対応する第２画素データが視差情報によって確実に特定でき、高精度に色変換処理を遂行可能となる。
【０１４０】
（第５の実施形態）
第４の実施形態では、映像生成装置４００が２Ｄ→３Ｄ変換処理を行う例について説明した。第５の実施形態では、右眼立体映像データおよび左眼立体映像データを取得するものの、視差情報が含まれていない場合であっても、色変換処理を遂行可能な立体映像装置５００について説明する。
【０１４１】
図２０は、第５の実施形態にかかる映像生成装置５００の概略的な機能を示した機能ブロック図である。図２０に示すように、映像生成装置５００は、映像取得部５１０と、視差導出部５１２と、映像処理部１５２と、表示データ生成部１６０と、表示制御部１８０とを含んで構成される。第１の実施形態の映像生成装置１００として既に述べた、映像処理部１５２と、表示データ生成部１６０と、表示制御部１８０とは、実質的に機能が同一なので重複説明を省略し、ここでは、構成が相違する映像取得部５１０と、視差導出部５１２とを主に説明する。
【０１４２】
映像取得部５１０は、立体映像データを、外部の放送局１２６や通信網１２８から取得する。また、ＤＶＤやＢＤといった記録媒体から直接、立体映像データを取得することもできる。ただし、ここでは、立体映像データには視差情報が付与されていない。
【０１４３】
視差導出部５１２は、右眼立体映像データおよび左眼立体映像データに対して、パターンマッチング処理を施して、画素データ毎またはブロック毎の視差情報を導出する。
【０１４４】
このパターンマッチングとしては、右眼立体映像データと左眼立体映像データ間において、ブロック単位で輝度値（Ｙ色差信号）を比較することが考えられる。例えば、輝度値の差分をとるＳＡＤ（Sum of Absolute Difference）、差分を２乗して用いるＳＳＤ（Sum of Squared intensity Difference）や、各画素データの輝度値から平均値を引いた分散値の類似度をとるＮＣＣ（Normalized Cross Correlation）等の手法がある。
【０１４５】
視差導出部５１２は、例えば、右眼立体映像データおよび左眼立体映像データに対して顔検出処理および顔認識処理を行い、抽出された顔のブロックについて、パターンマッチング処理を施す。また、視差導出部５１２は、平面対象物（例えば、人や物等）を抽出し、抽出した平面対象物について、パターンマッチング処理を施してもよい。
【０１４６】
こうして、視差導出部５１２は、パターンマッチング処理の結果、右眼立体映像データの画素データ（ブロック）に対応する左眼立体映像データの画素データを特定すると、右眼立体映像データの画素データに対する、対応する左眼立体映像データの画素データとの水平方向の位置のずれを視差情報として、右眼立体映像データに付加する。
【０１４７】
このように、本実施形態の映像生成装置５００は、パターンマッチング処理によって視差情報を導出できるため、視差情報を含まない立体映像データしか取得できない場合であっても、色変換処理を施して彩度を向上することが可能となる。
【０１４８】
（第６の実施形態）
上述した第１〜第５の実施形態の映像生成装置１００、４００、５００は、立体映像を知覚させる立体表示データを生成する。第６の実施形態では、２Ｄ映像を知覚させるための２次元表示データを生成する映像生成装置６００について説明する。
【０１４９】
図２１は、第６の実施形態にかかる映像生成装置６００の概略的な機能を示した機能ブロック図である。図２１に示すように、映像生成装置６００は、映像取得部６１０と、映像処理部１５２と、表示データ生成部６６０と、表示制御部１８０とを含んで構成される。なお、上述した実施形態と実質的に等しい構成要素については、同一の符号を付して説明を省略し、ここでは機能の異なる映像取得部６１０、表示データ生成部６６０について説明する。
【０１５０】
映像取得部６１０は、映像データを構成する複数の画素データを取得する。本実施形態において、映像データは、２次元映像を表示させるための２次元映像データであって、映像取得部６１０は、映像データを外部の放送局１２６や通信網１２８から取得する。また、ＤＶＤやＢＤといった記録媒体から直接２次元映像データを取得することもできる。
【０１５１】
表示データ生成部６６０は、映像取得部６１０が取得した２次元映像データを構成する複数の画素データを加工（変換）して、２次元表示データを生成する。
【０１５２】
図２２は、第６の実施形態にかかる表示データ生成部６６０の概略的な機能を示した機能ブロック図である。図２２に示すように、表示データ生成部６６０は、画素取得部６６２と、比率算出部１６４と、色判定部６６６と、色変換部６６８（図２２に示す第１色変換部６６８ａおよび第２色変換部６６８ｂ）と、第１スイッチ６７０ａと、第２スイッチ６７０ｂと、色変換制御部６７２とを含んで構成される。ここでも、上述した第１の実施形態と実質的に等しい構成要素については、同一の符号を付して説明を省略する。
【０１５３】
画素取得部６６２は、第１画素データのうち、対象とする１の画素データである第１対象データを比率算出部１６４に出力する。また、画素取得部６６２は、比率算出部１６４が導出した距離比率に基づいて画素数を決定する。そして、画素取得部６６２は、所定パターン形状の候補のいずれかを選択し、第１対象データを含み選択した形状となるように、第１画素データから複数の画素データを選択する。
【０１５４】
色判定部６６６は、第１画素データのうち、画素取得部６６２が選択した複数の画素データが示す色が、すべて第１対象データが示す対象色であるか否かを判定する。
【０１５５】
色変換部６６８は、第１色変換部６６８ａと第２色変換部６６８ｂとで構成され、色判定部６６６において、すべて対象色であると判定されると、所定パターン形状を成す複数の画素データの色を、距離比率に基づく面積比で視覚混合すると対象色と視認される候補色群のいずれかの色に、その面積比で変換する（複数画素の色変換処理）。
【０１５６】
複数画素の色変換処理の場合、色変換部６６８は、色変換制御部６７２の制御に応じて、候補色群のいずれかの色に、対象純色を割り当てた５割を除く、残り５割に対して割り当てた面積比で変換するフレームと、対象純色のみに変換するフレームとで、所定数のフレーム毎に交互に切り換える。
【０１５７】
一方、画素取得部６６２が決定した画素数の所定パターン形状の候補のいずれにおいても、色判定部６６６がすべて対象色であると判定しなかった第１対象データについては、色変換部６６８は、１画素の色変換処理を行う。
【０１５８】
１画素の色変換処理の場合、色変換部６６８は、色変換制御部６７２の制御に応じて、第１対象データを対象純色に変換するフレームと、反対色に変換するフレームとで、所定数のフレーム毎に交互に切り換える。
【０１５９】
色変換制御部６７２は、フレーム番号に基づき、第１スイッチ６７０ａを制御して、画素データの供給先を、第１色変換部６６８ａと第２色変換部６６８ｂとにフレーム毎に交互に切り換える。また、色変換制御部６７２は、第１スイッチ６７０ａが第１色変換部６６８ａに接続している場合、第２スイッチ６７０ｂも第１色変換部６６８ａに接続させ、第１スイッチ６７０ａが第２色変換部６６８ｂに接続している場合、第２スイッチ６７０ｂも第２色変換部６６８ｂに接続させる。
【０１６０】
図２３は、第６の実施形態にかかる色変換制御部６７２の処理を説明するための説明図である。ここでは、奇数番号のフレームの画素データを第１色変換部６６８ａに、偶数番号のフレームの画素データを第２色変換部６６８ｂに供給する例を挙げて説明する。
【０１６１】
表示データ生成部６６０から出力される２次元表示データは、図２３に示すように、フレーム１、３、５、…、ｒ−１（ｒは整数かつ偶数）において、２次元映像データを構成する画素データが対象純色に変換された２次元表示データ（図２３中、黒色で示す）となり、フレーム２、４、６、…、ｒにおいて、２次元映像データを構成する画素データが対象純色、対象補色または反対色に変換された２次元表示データ（図２３中、白色で示す）となる。
【０１６２】
したがって、２次元表示データを生成する場合であっても、第１の実施形態同様、フレーム毎に視覚混合と補色対比の効果を得ることができ、対象色の色相や明度を維持したまま、彩度を大幅に向上させることが可能となる。
【０１６３】
本実施形態では、フレーム毎に、画素データが示す色を対象純色のみか、対象純色、対象補色および反対色の組み合わせかに切り換える映像生成装置６００について説明したが、かかる場合に限定されず、１フレームの中で、すべて対象色であると判定された所定パターン形状を成す複数の画素データの色を、対象純色、対象補色のいずれかの色に、距離比率の逆の比率となる面積比で変換してもよい。
【０１６４】
この場合、１画素の色変換処理は行われないが、複数画素の色変換処理によって、一部の画素データは対象純色と対象補色に変換されるため、フレーム周期の速さにかかわらず、確実に視覚混合と補色対比の効果が得られ、彩度が向上される。
【０１６５】
（映像生成方法）
また、上述した映像生成装置を用いた映像生成方法も提供される。
【０１６６】
図２４は、第６の実施形態にかかる映像生成方法の具体的な処理を説明するためのフローチャートである。図２４に示す処理は、２次元映像データが入力されている間、所定周期で繰り返し実行される。なお、上述した第１の実施形態と実質的に等しい処理については、同一の符号を付して説明を省略する。
【０１６７】
画素取得ステップＳ３００から第１画素データ選択ステップＳ３１０までの処理は、図１０のフローチャートにおいて上述した処理と実質的に等しい。
【０１６８】
第１画素データ選択ステップＳ３１０の後、画素取得部６６２は、選択した第１画素データの複数の画素データが、すでに色変換処理されたものであるか否かを判定する（Ｓ７１６）。すでに色変換処理されている画素データが１つでも含まれる場合（Ｓ７１６におけるＹＥＳ）、候補判定ステップＳ３１８に処理を移す。
【０１６９】
色変換判定ステップＳ７１６において、すべての画素データがまだ色変換処理されていなかった場合（Ｓ７１６におけるＮＯ）、色判定部６６６は、画素取得部６６２が取得した複数の画素データが示す色が、すべて対象色であるか否かを判定する（Ｓ７２０）。いずれかが対象色でないと判定された場合（Ｓ７２０におけるＮＯ）、候補判定ステップＳ３１８に処理を移す。
【０１７０】
候補判定ステップＳ３１８において、まだ選択していない所定パターン形状の候補がない場合（Ｓ３１８におけるＮＯ）、１画素の色変換処理が確定、すなわち第１対象データが処理対象となる（Ｓ７２２）。
【０１７１】
色判定処理Ｓ７２０において、すべて対象色であった場合（Ｓ７２０におけるＹＥＳ）、複数画素の色変換処理が確定、すなわち第１画素データから選択した複数の画素データが処理対象となる（Ｓ７２４）。
【０１７２】
続いて、色変換制御部６７２は、第１対象データのフレーム番号が奇数であるか否かを判定する（Ｓ７２６）。奇数である場合（Ｓ７２６におけるＹＥＳ）、色変換制御部６７２は、処理対象となった第１対象データまたは第１画素データから選択した複数の画素データを、第１色変換部６６８ａに出力させ、第１色変換部６６８ａが対象純色に変換する（Ｓ７２８）。また、第１対象データのフレーム番号が偶数である場合（Ｓ７２６におけるＮＯ）、処理対象となった第１対象データまたは第１画素データから選択した複数の画素データを、第２色変換部６６８ｂに出力させ、第２色変換部６６８ｂが対象純色、対象補色または反対色に変換する（７３２）。
【０１７３】
そして、表示制御部１８０は、２次元映像データの１フレーム分について、色変換処理が完了し２次元表示データが生成されたか否かを判定する（Ｓ７３６）。完了していなければ（Ｓ７３６におけるＮＯ）、画素取得ステップＳ３００に戻り、１フレーム分の２次元表示データの生成が完了すると（Ｓ７３６におけるＹＥＳ）、表示制御部１８０は、２次元表示データに基づく映像をディスプレイ１１０に表示させる（Ｓ７３８）。
【０１７４】
以上説明したように、本実施形態にかかる映像生成方法においても、視覚混合により２次元映像データを構成する画素データが示す対象色の色相や明度を維持したまま、補色対比により彩度を向上させた２次元表示データを生成することができ、高画質な立体映像を視聴者に知覚させることが可能となる。
【０１７５】
上述した実施形態では、フレーム間で複数の画素が視覚混合により混ざり、観察者には色変換前の対象色に見えるという構成であるため、フレーム周期が遅い場合（例えば、１／３０秒以下）には色変換後の色がうまく混ざらず、色変換前の対象色に見えない可能性もある。そのため、フレーム周期を好ましくは１／６０以上、より好ましくは１／１２０秒以上、さらに好ましくは１／２４０秒以上にして表示するとよい。また、ディスプレイ１１０を液晶ディスプレイで構成する場合、液晶の応答速度や消費電力の観点から、１／１２０秒や１／２４０秒程度のフレーム周期が好ましい。
【０１７６】
また、上述した実施形態では、複数画素対複数画素の色変換処理、および複数画素の色変換処理において、映像生成装置１００、６００は、第１画素データまたは第２画素データから選択された画素データを、すべて対象純色に変換している。しかし、映像生成装置１００、６００は、例えば、面積比を変えずに、第１画素データと第２画素データそれぞれに対象純色以外の色を含めるように色変換処理を施してもよい。
【０１７７】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０１７８】
なお、本明細書の映像生成方法の各工程は、必ずしもフローチャートとして記載された順序に沿って時系列に処理する必要はなく、並列的あるいはサブルーチンによる処理を含んでもよい。
【産業上の利用可能性】
【０１７９】
本発明は、ディスプレイに表示させるための表示データを生成する映像生成装置および映像生成方法に利用することができる。
【符号の説明】
【０１８０】
１００、４００、５００、６００  …映像生成装置
１５０、４１０、５１０、６１０  …映像取得部
１６４  …比率算出部
１６６、６６６  …色判定部
１６８、６６８  …色変換部
【図１】
0005783038.tif 000002
【図２】
0005783038.tif 000003
【図３】
0005783038.tif 000004
【図４】
0005783038.tif 000005
【図５】
0005783038.tif 000006
【図６】
0005783038.tif 000007
【図７】
0005783038.tif 000008
【図８】
0005783038.tif 000009
【図９】
0005783038.tif 000010
【図１０】
0005783038.tif 000011
【図１１】
0005783038.tif 000012
【図１２】
0005783038.tif 000013
【図１３】
0005783038.tif 000014
【図１４】
0005783038.tif 000015
【図１５】
0005783038.tif 000016
【図１６】
0005783038.tif 000017
【図１７】
0005783038.tif 000018
【図１８】
0005783038.tif 000019
【図１９】
0005783038.tif 000020
【図２０】
0005783038.tif 000021
【図２１】
0005783038.tif 000022
【図２２】
0005783038.tif 000023
【図２３】
0005783038.tif 000024
【図２４】
0005783038.tif 000025